(57)【要約】【課題】いずれの机上やテーブル上の、いずれの位置への設置を可能にし、座席に居ながらにして机上等における塵の掃き取りを可能にするとともに、電気スタンド等の設置に制約を与えず、また拭き掃除の邪魔になることを回避可能にする。【解決手段】塵取り２が、平板状の塵受け部２ａとこの塵受け部２ａに連続する略Ｕ字状断面を持つ塵収納部２ｂとを有し、ブラシカバー３が、前記塵受け部２ａを被うように前記塵収納部２ｂに着脱自在に装着されて、内部にブラシ１０が収納され、ダストボックスが、ブラシカバー３上のダストボックス支持用凹部７に設置されている。【選択図】図１
0003125088.tif 000002
【実用新案登録請求の範囲】
【請求項１】
平板状の塵受け部とこの塵受け部に連続する略Ｕ字状断面を持つ塵収納部とを有する塵取りと、
前記塵受け部を被うように前記塵収納部に着脱自在に装着されて、内部にブラシを収納する略Ｕ字状断面を持つブラシカバーと、
このブラシカバー上に形成されたダストボックス支持用凹部に設置されたダストボックスと、
を備えることを特徴とするテーブルクリーナ装置。
【請求項２】
前記塵取りおよびブラシカバーには、前記装着時に互いに相手と係合する係合部および被係合部がそれぞれ設けられていることを特徴とする請求項１に記載のテーブルクリーナ装置。
【請求項３】
前記ダストボックスには、開閉蓋が着脱自在に装着されていることを特徴とする請求項１に記載のテーブルクリーナ装置。
【考案の詳細な説明】
【技術分野】
【０００１】
本考案は、机上やテーブル上に設置しておき、必要に応じ机上やテーブル上の塵を掃き取り、ダストボックスに収納可能とするためのテーブルクリーナ装置に関する。
【背景技術】
【０００２】
机上やテーブル上には、書類作成時に生じる消しゴムの屑や砂糖などの調味料のほか塵埃（以下、これらを塵と略称する）などが散乱することがある。この場合には、適時に、この塵をブラシで一箇所に掃き集め、塵取りに掃きとることが行われる。しかし、この机上等の清掃のために、室外の物置等に設置された塵取りやブラシを仕事室やキッチンに持ち込む必要があり、その清掃までの作業が煩わしいという不都合があった。
【０００３】
一方、これに対して、机等に吸盤を用いて装着台を固定し、これにブラシを具備するダストボックスを装着した掃除具が提案されている（例えば、特許文献１参照）。これによれば、書類作成時や食事中に席を離れることなく、机上やテーブル上の塵を、ブラシを用いてダストボックス内に掃き込むことができる。
【特許文献１】特開２００６‐０７６７８７号公報
【考案の開示】
【考案が解決しようとする課題】
【０００４】
しかしながら、従来の掃除具は、特定の机やテーブルの所定位置に略固定的に装着されて、使用されるものであり、他のテーブル上の塵を掃き落とす場合には、付属の前記ダストボックスを使用できず、部屋に設置の別のダストボックスや塵取りを使用する必要がある。
【０００５】
また、前記掃除具に付属のダストボックスは、机上やテーブル上の所定位置にかなり大きな空間を占有して固定されているため、例えば電気スタンドの取り付けやパソコンの設置、あるいは食器などの設置や載置に制約を伴うほか、拭き掃除の邪魔になるという問題があった。
【０００６】
本考案は、前記のような従来の問題を解決するものであり、いずれの机上やテーブル上の、いずれの位置への設置が可能であり、座席付近に居ながらにして机上やテーブル上の塵の掃き取りを可能にするとともに、電気スタンド等の設置に制約を与えず、また拭き掃除の邪魔になることがないテーブルクリーナ装置を得ることを目的とする。
【課題を解決するための手段】
【０００７】
前記目的達成のために、本考案にかかるテーブルクリーナ装置は、平板状の塵受け部とこの塵受け部に連続する略Ｕ字状断面を持つ塵収納部とを有する塵取りと、前記塵受け部を被うように前記塵収納部に着脱自在に装着されて、内部にブラシを収納する略Ｕ字状断面を持つブラシカバーと、このブラシカバー上に形成されたダストボックス支持用凹部に設置されたダストボックスと、を備えることを特徴とする。
【０００８】
この構成により、塵取り、ブラシ、ダストボックスを一組として机上やテーブルのいずれの位置にもテーブルクリーナ装置が設置可能であり、座席に居ながらにして机上やテーブル上の塵の掃き取り作業を簡単に実施でき、また電気スタンドやパソコンなどの機器の設置位置に制約が生じることがなく、拭き掃除の邪魔になることを回避することができる。
【０００９】
また、本考案にかかるテーブルクリーナ装置は、前記塵取りおよびブラシカバーに、前記装着時に互いに相手と係合する係合部および被係合部がそれぞれ設けられていることを特徴とする。
この構成により、ブラシを出し入れできるブラシカバーと塵取りとを一体結合でき、これらが一組となる特定デザインの、特定形態の置物として机上やテーブル上の任意の位置に設置することができる。
【００１０】
また、本考案にかかるテーブルクリーナ装置は、前記ダストボックスに、開閉蓋が着脱自在に装着されていることを特徴とする。
この構成により、ダストボックス内の塵が仕事中や食事中に露見したり、周辺環境に臭いを放ったりすることを防止することができる。
【考案の効果】
【００１１】
本考案にかかるテーブルクリーナ装置は、平板状の塵受け部とこの塵受け部に連続する略Ｕ字状断面を持つ塵収納部とを有する塵取りと、前記塵受け部を被うように前記塵収納部に着脱自在に装着されて、内部にブラシを収納可能な略Ｕ字状断面を持つブラシカバーと、を有し、このブラシカバー上のダストボックス支持用凹部に対し、ダストボックスを設置可能としたので、机上やテーブルのいずれの位置にも設置可能であり、座席に居ながらにして掃き取り作業を実施できる。また、電気スタンドやパソコンなどの機器の設置位置に制約が生じることがなく、拭き掃除の邪魔になることを回避することができる。
【考案を実施するための最良の形態】
【００１２】
以下、本考案の実施の形態を図面を参照しながら説明する。
図１は、この実施の形態によるテーブルクリーナ装置１を示す正面図、図２は、同じく平面図、図３は、このテーブルクリーナ装置１を構成する塵取りを示す正面図、図４は、同じくこの塵取りの平面図、図５は、このテーブルクリーナ装置１を構成するブラシカバーを示す正面図、図６は、同じくこのブラシカバーの下面図、図７は、図１に示すテーブルクリーナ装置１の縦断面図、図８は、図２におけるＡ−Ａ線断面図、図９は、テーブルクリーナ装置１の使用状態を示す説明図である。
【００１３】
テーブルクリーナ装置１は、塵取り２と、ブラシカバー３と、ダストボックス４とを相互に分離可能に組み付けたものからなる。これらのうち塵取り２は、全体として平面視で玉子形をなし、机上等における消しゴム屑などの塵を掃き取る平板状の塵受け部２ａと、この塵受け部２ａに受けた塵を一時的に収納する、断面が略Ｕ字状（袋状）の塵収納部２ｂとを一体に有する。
【００１４】
この塵受け部２ａおよび塵収納部２ｂは、金属板や合成樹脂、主に合成樹脂の成形により一体に形成されたものである。この塵収納部２ｂの一外側面には、塵取り２を手や指で掴んで支持するための把手部材５が取り付けられている。
【００１５】
塵受け２ａや塵収納部２ｂを構成する合成樹脂としては、例えばポリプロピレンが用いられ、必要に応じ表面には梨地処理が施される。把持部材５としては、例えば亜鉛ダイキャスト品の表面にソフトニッケル仕上げしたものが用いられる。
【００１６】
塵収納部２ｂの、把持部材５設置側とは反対側に凹状に形成された円弧状縁部Ｐには、塵受け２ａの厚みに略相当する分低い所定幅の段部２ｃが形成されている。この段部２ｃを図７に示す。塵受け部２ａの両側縁には、この塵受け部２ａ上に掃き込まれた塵を、塵収納部２ｂ内へ導くための立ち上がり片２ｄが一体に設けられている。
【００１７】
一方、ブラシカバー３は、塵取り２の塵受け部２ａを被うように、塵収納部２ｂに対し着脱自在に装着されるものである。このブラシカバー３は、塵受け部２ａを被うような形態の円弧面部３ａと、この円弧面部３ａおよび立ち上がり片３ｃとともにブラシを収納する、断面が略Ｕ字状のブラシ収納板部３ｂとを有する。
このブラシ収納部３ｂの一外側面には、ブラシカバー３を手や指で支持するための把持部材６が取り付けられている。
【００１８】
前記円弧面部３ａには、略円形のダストボックス収納用凹部７が形成されている。このダストボックス収納用凹部７の深さおよび内径は、これに載置（収納）されるダストボックス４が容易に倒れることがないように、これの下端部を保持するサイズとされている。
【００１９】
前記円弧面部３ａの端部は、図４に示した塵収納部２ｂにおける前記凹状の円弧状縁部Ｐに嵌合可能な凸状の円弧状縁部Ｑをなす。そして、この円弧状縁部Ｑの両端付近には、下方に向くように、図５、図６および図７に示すような、鈎状（Ｌ字状）の係止片８が一体に設けられている。
【００２０】
これらの係止片８は、塵取り２に対するブラシカバー３の装着時に、前記凹状の円弧状縁部Ｐとの間に、被係合部としての前記段部２ｃを挟むように係合する。これにより、塵取り２およびブラシカバー３の密な連結とこれら相互の強度を高めている。
【００２１】
ブラシカバー３は、円弧面部３ａ、立ち下がり片３ｃおよびブラシ収納板部３ｂによって囲まれたブラシ収納空間に、ブラシ１０を出し入れに自在に収納している。なお、必要に応じ、このブラシ１０をブラシカバー３に一体に固定することもできる。この場合には、ブラシ１０の先端部が、前記凸状の円弧状縁部Ｑの外へ、十分に突出させる必要がある。
【００２２】
次に、前記ダストボックス４は、截頭円錐形（ここでは、コップ形）の有底のボックス本体４ａに、摘み９付きの蓋４ｂを、図１に示すように装着したものからなる。このボックス本体４ａの下端は、前記ブラシカバー３に設けたダストボックス収納用凹部７に適合する外形サイズをなす。
【００２３】
ここで、ボックス本体４ａは、例えばポリプロピレンなどの合成樹脂によって、表面が梨地を持つように形成され、摘み付きの蓋４ｂは、例えばポリプロピレンなどの合成樹脂によって、艶が出るように形成されている。
【００２４】
このような構成のテーブルクリーナ装置１は、前記ブラシ収納空間内に、ブラシ１０を図５および図６に示すように収納させた状態にて、ブラシカバー３を、図３および図４に示す塵取り２の開口側に当接させることができる。
この当接時には、ブラシカバー３側の円弧面３ａ端における凸状の円弧状縁部Ｑが、塵取り２の塵収納部２ｂにおける凹状の円弧状縁部Ｐにある段部２ｃ上に載置され、その段部２ｃがその両端部で、前記凸状の円弧状縁部にある係止片８と円弧状凸縁部Ｑとの間に、図８に示すように挟まれる。これにより、各円弧状縁部Ｐ、Ｑが蜜に連結される。
【００２５】
また、このときブラシカバー３のブラシ収納板部２ｂは、塵取り２の塵受け部２ａ上に重なるように載置され、塵取り２側の立ち上がり片２ｄの上縁Ｒに、ブラシカバー３側の立ち上がり片３ｃ下縁Ｓが密着する。
これによって、塵取り２およびブラシカバー３は、図１および図２に示すように、平面視では玉子形をなし、正面視では上面が中央部に向かって緩やかに膨らんだ形態をなす。
【００２６】
また、このように塵取り２に連結されたブラシカバー３上のダストボックス収納用凹部７に、蓋４ｂが被せられたダストボックス４の底部をはめ込むように設置することで、テーブルクリーナ装置１がユニット化される。
従って、ユニット化されたテーブルクリーナ装置２１を机やテーブルの上に載置しておくことで、座席を離れることなく、机やテーブル上の塵を掃き掃除することができる。
【００２７】
この掃き掃除の一例を、図９に示す。この掃き掃除をする場合には、まず、塵取り２とブラシカバー３との分離操作をし、分離したブラシカバー３からブラシ１０を取り出して、このブラシ１０を使って机又はテーブル１１上の消しゴムの屑や調味料の粒などを含む塵Ｄを、その机やテーブル上の一箇所に集める。
【００２８】
次に、この机やテーブル上の一箇所に集めた塵Ｄ付近に、摘み５を把持しながら塵取り２の塵受け部２ａを差し出す。そして、この差し出された塵受け部２ａ上に、前記塵Ｄを、ブラシ１０を用いて掃き入れる。また、塵Ｄの量が多い場合には、塵取り２を傾けて塵受け部２ａ上の塵Ｄを塵収納部２ｂに移動させる。このようにして、机やテーブル上の塵は取り除かれる。
【００２９】
そこで、塵受け部２ａや塵収納部２ｂ内の塵Ｄは、ダストボックス４の蓋４ｂを開いた上で、ボックス本体４ａ内の払い出す。この払い出しが済んだ後は、ボックス本体４ａの開口に蓋４ｂを被せて、ボックス本体４ａ内の塵Ｄが発する臭いが外に出ないようにする。なお、このダストボックス４は、複数回の掃き掃除で出た塵Ｄを収納可能なサイズを持ち、その複数回分の塵Ｄをまとめて、室内や室外等に設置された大型のごみ箱（図示しない）に廃棄することができる。
【００３０】
このようなダストボックス４への塵Ｄの掃き出しまでの作業は、席を立つことなく、人が机やテーブル付近の座席に居ながらにして実施することができる。また、このテーブルクリーナ装置１は、机上やテーブル上のいずれの位置にも、小さな占有空間内にて設置でき、従って電気スタンドなどの設置や拭き掃除の邪魔になるようなこともなくなる
【００３１】
なお、前記実施の形態において、前記ボックス本体４ａや蓋４ｂの表面に、所定サイズの模様や色彩を施すことは任意であり、この模様や色彩を、例えばシルクスクリーン印刷により施すことで、ダストボックス自体のデザイン性を向上することができる。
【００３２】
このように本実施形態にあっては、平板状の塵受け部２ａとこの塵受け部２ａに連続する略Ｕ字状断面を持つ塵収納部２ｂとを有する塵取り２と、塵受け部２を被うように前記塵収納部２ｂに着脱自在に装着されて、内部にブラシ１０を収納可能な略Ｕ字状断面を持つブラシカバー３とを設け、このブラシカバー３上に形成されたダストボックス支持用凹部７にダストボックス４を設置する構成としたので、塵取り２、ブラシ１０、ダストボックス４を一組として、これを机上やテーブル上のいずれの位置にも設置でき、座席に居ながらにして机上等の塵Ｄの掃き取り作業を容易に実施でき、また電気スタンドやパソコンなどの機器の設置位置に制約が生じることがなく、また拭き掃除の邪魔になることをも回避することができる。
【産業上の利用可能性】
【００３３】
本考案のテーブルクリーナ装置は、いずれの机上やテーブル上の、いずれの位置への設置も可能であり、座席に居ながらにして机上やテーブル上の塵の掃き取りを可能にするとともに、電気スタンド等の設置に制約を与えず、また拭き掃除の邪魔になることがないという効果を有し、机上やテーブル上に設置して、机上やテーブル上の塵を掃き取った後、備え付けのダストボックスに廃棄できるテーブルクリーナ装置等として有用である。
【図面の簡単な説明】
【００３４】
【図１】本考案の実施形態によるテーブルクリーナ装置を示す正面図である。
【図２】図１に示すブルクリーナ装置の平面図である。
【図３】図１における塵取りの正面図である。
【図４】図３に示す塵取りの平面図である。
【図５】図１におけるブラシカバーの正面図である。
【図６】図５に示すブラシカバーの下面図である。
【図７】図１に示すテーブルクリーナ装置の縦断面図である。
【図８】図２のＡ‐Ａ線における断面図である。
【図９】本考案のテーブルクリーナ装置による清掃状態を示す説明図である。
【符号の説明】
【００３５】
１  テーブルクリーナ装置
２  塵取り
２ａ  塵受け部
２ｂ  塵収納部
３  ブラシカバー
４  ダストボックス
７  ボックス収納用凹部
８  係止片
【図１】
0003125088.tif 000003
【図２】
0003125088.tif 000004
【図３】
0003125088.tif 000005
【図４】
0003125088.tif 000006
【図５】
0003125088.tif 000007
【図６】
0003125088.tif 000008
【図７】
0003125088.tif 000009
【図８】
0003125088.tif 000010
【図９】
0003125088.tif 000011